(57)【要約】【課題】リンク数が少なく且つ軽量に構成できるリンク機構を備えるシート装置を実現にする。【解決手段】支持部７８と被支持部４４に夫々回転結合されるリンク部材４５と、前記支持部７８と一体となる第１歯車７３と、被支持部４４と一体となる第２歯車７４と、前記リンク部材４５に回転可能に取付けられ且つ前記第１歯車７３及び前記第２歯車７４と夫々噛合う第１部分歯車７２ａと第２部分歯車７２ｂを有する伝達歯車を備える歯車・リンク機構７を供えること。【選択図】    図１
2005034233.tif 000002
【特許請求の範囲】
【請求項１】
支持部と、
該支持部に対して所定の姿勢を確保しつつ位置の調整が可能とされる被支持部とを備えるシート装置において、
前記支持部と被支持部に夫々回転結合されるリンク部材と、前記支持部と一体となる第１歯車と、被支持部と一体となる第２歯車と、前記リンク部材に回転可能に取付けられ且つ前記第１歯車及び前記第２歯車と夫々噛合う第１部分歯車と第２部分歯車を有する伝達歯車を備える歯車・リンク機構を備えることを特徴とするシート装置。
【請求項２】
前記歯車・リンク機構を駆動する駆動装置を備えた請求項１に記載のシート装置。
【発明の詳細な説明】
【０００１】
【発明の属する技術分野】
本発明は、例えばシートクッション、脚部、足乗せ台又はシートバック等、シートの各部の位置を変更、又は各部を互いに折り畳み可能にする歯車・リンク機構を備えるシート装置に関する。特に変更される部位の位置を大きく変更できるように構成された歯車・リンク機構を備えたものに関する。
【０００２】
【従来の技術】
シートの特定部位の位置を大きく変更できるようにする装置の一例として、シートクッションに対して足乗せ台の位置を変更可能とするリンク機構を備えるものがある。このようなリンク機構は、通常４つのリンクを４辺形に配置し、各リンクを結合する回転軸で結合した、所謂平行リンク機構を基本として備えている。そして、大きい変更位置に平行リンク機構を適用したとき、各リンク間の角度が所定角度以上においても、足乗せ台に作用する荷重を支持する強度を確保できるように、更に複数の補助リンクが加えられた構成となっている。  （例えば、特許文献１参照。）。
【０００３】
【特許文献１】
特許第３３２３９８９号公報
【０００４】
【発明が解決しようとする課題】
しかしながら、このような構成のリンク機構では、多くのリンクと、これらリンクを結合する多くの回転軸を必要とし、複雑な構成となっていた。更に、車両に搭載するシート装置にこのリンク機構を適用したとき、振動または緊急時にシートに加わる過大な荷重に対して十分な支持強度を確保する必要から、各リンク及び回転軸は大型になり、また重いものとなっていた。
【０００５】
このため、本発明の課題は、リンク数が少なく且つ軽量に構成できるリンク機構を備えるシート装置を実現にすることを課題とする。
【０００６】
【課題を解決するための手段】
上記した課題を解決するために、本発明で講じた技術的な第１の技術的な手段は、支持部と、該支持部に対して所定の姿勢を確保しつつ位置の調整が可能とされる被支持部とを備えるシート装置において、
前記支持部と被支持部に夫々回転結合されるリンク部材と、前記支持部と一体となる第１歯車と、被支持部と一体となる第２歯車と、前記リンク部材に回転可能に取付けられ且つ前記第１歯車及び前記第２歯車と夫々噛合う第１部分歯車と第２部分歯車を有する伝達歯車を備える歯車・リンク機構を備えるようにしたことである。
【０００７】
この構成によって、支持部に対するリンク部材の回転によって、被支持部が支持部に対して所定の姿勢を維持しつつ移動し、その位置を調整できる。
【０００８】
上記第１の手段に加えて、本発明で講じた技術的な第２の技術的な手段は、前記歯車・リンク機構を駆動する駆動装置を備えて構成したことである。
【０００９】
この構成によって、駆動装置の作動によって被支持部は支持部に対して所定姿勢を維持しつつ移動する。
【００１０】
【発明の実施の形態】
以下、図１〜図７を用いて、本発明に関るシート装置１について説明する。
【００１１】
先ず図４に示される第１の実施例は、折畳み自在な足乗せ台４を備えるシート装置１に係る。シート装置１は、更にシートバック２とシートクッション３を備えている。
【００１２】
図１に示されるように、シートクッション３は、シートクッション３の強度を担う構造部材となるクッションフレーム３１を備えている。クッションフレーム３１の前端部分の下面には下方に延びるように一対のブラケット７８が、シート幅方向（図２の左右方向）に離間して固定されている。
【００１３】
ブラケット７８には、本発明の主題とする歯車・リンク機構７を備える足乗せ台４が支持されている。足乗せ台４は、左右一対のアーム４４と、各アーム４４を連結するように固定され、シート幅方向に延びるＵ字型の支持部材４１によって構成され、歯車・リンク機構７によってシートクッション３に対して折畳み、又は展開自在となる構成となっている。
【００１４】
各アーム４４には長い形状のリンク部材４５が、その一端で回転軸７６によって回転自在に結合されている。リンク部材４５の他端はブラケット７８に回転軸７５で結合されている。リンク部材４５には、伝達歯車７２が回転軸７７で回転自在に取付けられている。伝達歯車７２は、回転軸７７の両側に対向するように形成された第１部分歯車７２ａと第２部分歯車７２ｂを備える。
【００１５】
第１部分歯車７２ａと第２部分歯車７２ｂは夫々、分離されて伝達歯車７２の作動に必要な角度範囲に形成され、長く幅の狭い形状となっている。このために歯車・リンク機構７は狭いスペースにも取付けることができる構成にすることができる。また、第１部分歯車７２ａと第２部分歯車７２ｂのピッチ円径、歯数等の歯車寸法を互に変えることによって、歯車・リンク機構７の作動の特性を変えることができ、多くの用途に容易に適応させることができる。
【００１６】
図１、図２及び図３に示されるように、アーム４４には第１部分歯車７２ａと噛合う第１歯車７３が、その中心と回転軸７６の中心が一致するように固定されている。また、ブラケット７８の下端部には第２部分歯車７２ｂと噛合う第２歯車７４が、その中心が回転軸７５の中心と一致するように固定されている。
【００１７】
左右のリンク部材４５は、回転軸７５の位置で、シート幅方向に延びるロッド４２で連結され、左右のリンク部材４５は一体的に回転する。ロッド４２の中間部分には連結アーム４３が結合されている。連結アーム４３は、図１に示される状態で、上方に延びその上端が、回転ピン４６で駆動装置５の駆動ロッド５３と連結されている。
【００１８】
駆動装置５は、クッションフレーム３１の下面に固定されたブラケット３２にピン３３で支持ブラケット５４を介して揺動可能に支持されている。また、駆動装置５は、支持ブラケット５４に支持された電動モータ５１、減速機構部５２、更に減速機構部５２に内蔵され電動モータ５１の作動で回転する駆動ナット（図示せず）、駆動ナットと係合するネジ部５３ａを備え、電動モータ５１による駆動ナットの回転でシート前方又は後方向に移動する駆動ロッド５３を備えている。
【００１９】
以上のように構成された折畳み自在な足乗せ台４を備えるシート装置１の作動について以下に説明する。
【００２０】
図２は、図４に実線で示される足乗せ台４が折畳まれた状態のときの歯車・リンク機構７の状態を示す。また、図３は図４に２点鎖線で示される足乗せ台４が展開された状態のときの歯車・リンク機構７の状態を示している。
【００２１】
図２に示される、足乗せ台４が折畳まれた状態のとき、駆動ロッド５３はシート後方向へ最も引き込まれた状態となっている。このとき、リンク部材４５は回転軸７５周りに最も時計方向に回転した位置になっている。この足乗せ台４が折畳まれた状態から、図３に示される展開状態へは、駆動装置５のモータ５１（図１）に通電し、駆動ロッド５３をシート前方に押出すことによって行われる。そして、リンク部材４５を図３で反時計方向に回転させる。このリンク部材４５の回転に伴い、リンク部材４５に回転支持された伝達歯車７２の第２部分歯車７２ｂは、ブラケット７８に固定された第２歯車７４と噛合っているために、リンク部材４５に対して反時計方向に回転する。また、伝達歯車７２の第１部分歯車７２ａはアーム４４に固定された第１歯車７３と噛合っているために、アーム４４はリンク部材４５に対して時計方向に回転する。そして、足乗せ台４は図４に２点鎖線で示される展開位置になる。展開位置から再び折畳み位置に戻すのは、モータ５１を反転させるようにして作動させる。
【００２２】
次に、本発明の第２の実施例として、図５に示されるように格納可能に構成されたシート装置１０について説明する。
【００２３】
シート装置１０は、図５に実線で示されるように、前方脚部８１と後方脚部１７０によって車両のフロア１２上に起立し乗員が着座使用できる状態から、２点鎖線で示されるように、折畳まれ更にフロア１２に設けられた凹部１２ａに格納できるように構成されている。このようなシート装置１０の後方脚部１７０に対して、上記の第１の実施例に示した歯車・リンク機構を適用して、格納可能なシート装置１０を実現するものである。
【００２４】
図６には、後方脚部１７０を構成する歯車・リンク機構を示している。図５と図６に示されるように、後方脚部１７０のフロア１２に取付けられる支持ブラケット１７４には第２歯車１７４ａが形成されている。また後方脚部１７０の支柱部材１４５は、歯車・リンク機構のリンク部材となって伝達歯車１７２を回転軸１７７で回転支持している。一方、クッションフレームを兼ねるフレーム１７３の後端部には第１歯車１７３ａが形成されている。
【００２５】
更に、フレーム１７３の前端にヒンジ結合された前方脚部８１を、シート装置１０の格納作動と連動して折畳むための連結ロッド８５が、支柱部材１４５と前方脚部８１を連結するように取付けられている。更に、シート装置１０を着座位置に確保するためのロック機構８が前方脚部８１の下端部分に備えられている。ロック機構８は、フロア１２に固定されるストライカ８２と、前方脚部８１に軸８３ａで回転支持されるフック８３を備え、シート装置１０をフロア１２に係止させることができる構成となっている。
【００２６】
このように構成された、シート装置１０は、シートバック２を角度調整機構（図示せず）を操作して、シートクッション３上に折畳み、更にフック８３を操作してロック機構８を解除し、シート装置１０をその後方に押すことにより、シート装置１０は凹部１２ａに格納される。シート装置１０は、後方脚部１７０を構成する歯車・リンク機構の作用で所定の姿勢を維持されているので、操作は非常に簡単となる。
【００２７】
次に、本発明の第３の実施例として、図７及び図８に示されるようにシートバック２の角度を調整するように構成されたシート装置１０について説明する。
【００２８】
このようなシート装置１０は、例えば車両の後部座席として用いられる。シート装置１０は、車両フロア１２の平坦部１２ａに取付けられるシートクッション３と、車室の後端部の起立する車体部分１２ｂに沿って起立し且つシートクッション３に対して回転軸２７６で回転し、その角度を調整できるように構成されたシートバック２を備える。上記第１及び第２実施例と同様の歯車・リンク機構をシートバック２の角度調整機構２７０に適用している。
【００２９】
シートバック２は、その強度を確保するためのフレーム２４５を備えている。一方、シートクッション３はフロア１２の平坦部１２ａ上に取付けられたシートスライド装置９を介して支持されている。シートスライド装置９は、既知の電動モータを含む駆動装置（図示せず）によって駆動され、互にシート前後方向（図７の左右方向）に摺動可能に係合するアッパレール９１とロアレール９２を備える。アッパレール９１はシートクッション３に、又ロアレール９は平坦部１２ａに固定されている。アッパレール９１の後端部には起立するようにブラケット２７３が固定され、フレーム２４５がブラケット２７３に回転軸２７６によって回転支持されている。フレーム２４５は、歯車・リンク機構のリンク部材として機能する。ブラケット２４５の後端部分に第１歯車２７３ａが形成されている。フレーム２４５には回転軸２７７によって伝達歯車２７２が回転支持され、伝達歯車２７２の第１部分歯車２７２ａは第１歯車２７３ａと噛合う。フレーム２４５には、更に回転軸２７５によって、支持部材２７４が回転可能に取付けられている。支持部材２７４には第２歯車２７４ａが形成され伝達歯車２７２の第２部分歯車２７２ｂと噛合う構成となっている。一方、支持部材２７４をその回転軸周りに回転させるための駆動装置５が、支持部材２７４と車体部分１２ｂとの間に取付けられる。駆動装置５は、既に説明したように、モータ５１への通電によって駆動ロッド５３が出入して第２歯車２７４ａを回転駆動する。
【００３０】
上記した構成の角度調整機構２７０を備えるシート装置１０は、駆動装置５とシートスライド装置９の駆動装置（図示せず）が操作者の指示で作動する制御装置（図示せず）からの指令で作動する。そして、図８に２通りの二点差線で示される一方の位置から他方の位置へ調整される。このとき、駆動装置５によって第２歯車２７４ａがフレーム２４５に対して回転し、伝達歯車２７２が回転し、第１部分歯車２７２ａと第１歯車２７３ａの噛合い作動でフレーム２４５がブラケット２７３に対して回転作動する。この結果、シートスライド装置９によってシートクッション３の位置が調整されるとともに、フレーム２４５とアッパレール９１の互いの位置と姿勢が決定されることからシートバック２とシートクッション３の角度位置が確定する。
【００３１】
【発明の効果】
以上の説明で明らかなように、歯車・リンク機構を備え位置の調整を可能とするシート装置は、その位置が大きく変更されても、歯車とリンクを組み合わせて構成している歯車・リンク機構は強度を確保するための補助リンクを必要としない。このために、シート装置はリンク数が少なく且つ軽量に構成できる。
【図面の簡単な説明】
【図１】本発明に係る第１実施例のシート装置を部分的に示す斜視図である。
【図２】本発明に係る第１実施例のシート装置を部分的に示す側面図で、折畳み時を示す。
【図３】本発明に係る第１実施例のシート装置を部分的に示す側面図で、展開時を示す。
【図４】本発明に係る第１実施例のシート装置の側面図である。
【図５】本発明に係る第２実施例のシート装置の側面図である。
【図６】本発明に係る第２実施例のシート装置に適用される歯車・リンク機構の斜視図である。
【図７】本発明に係る第３実施例のシート装置の側面図である。
【図８】本発明に係る第３実施例のシート装置の側面図で、位置調整後を示す。
【符号の説明】
５                  駆動装置
７                  歯車・リンク装置
４４、１７３，２７３  被支持部（アーム、フレーム、ブラケット）
４５                  リンク部材
７２                  伝達歯車
７２ａ                第１部分歯車
７２ｂ                第２部分歯車
７３、１７３ａ、２７３ａ  第１歯車
７４、１７４ａ、２７４ａ  第２歯車
７８、１７４、２７４  支持部（ブラケット、支持ブラケット、支持部材）
【図１】
2005034233.tif 000003
【図２】
2005034233.tif 000004
【図３】
2005034233.tif 000005
【図４】
2005034233.tif 000006
【図５】
2005034233.tif 000007
【図６】
2005034233.tif 000008
【図７】
2005034233.tif 000009
【図８】
2005034233.tif 000010